(57)【要約】      （修正有）【課題】コンパクトで色々使えデザイン性に優れたオープナーを作る。【解決手段】中空の本体１の内部に挿入したベルト２を、本体１の途中に設けたベルト取り出し穴３からループ状に取り出し、ベルト２の先端は再度本体１の内部を通して本体１の他端のベルト引き出し口６から引き出しておく。ベルトのループでねじ蓋を巻き込み、本体を回動して開蓋する。本体の一端にプルトップオープナー５、裏面に栓抜きを設ける。【選択図】図１
2004182340.tif 000002
【特許請求の範囲】
【請求項１】
ベルトを利用したオープナー
【発明の詳細な説明】
【０００１】
【発明の属する技術分野】
本発明は、キーホルダー、携帯ストラップ、ボトルホルダー、ネックストラップ、ネームプレート、筆記具、ライター、ブレスレットなどにも利用できるオープナーに関するものである。
またネジを回す工具としても利用できる。逆に手すり等に物を固定する道具としても利用できる。
【０００２】
【従来の技術】従来のオープナーは、は色々なデザインをしたものが有るが、単機能であったり、構造が複雑であり、小型化しにくく、使い難い。又デザイン面でも優れた物がない。
【０００３】
【発明が解決しようとする課題】
解決しようとする課題は、コンパクトにも出来、構造が簡単であり、多目的に使え、しかもデザインの自由度に優れたオープナーを提供することである。
【０００４】
【課題を解決するための手段】
その方法を図を示しながら説明すると、本体１にベルト２ベルト取り出し穴３及びベルト止用突起４をもうける。
【０００５】缶のプルタブを開ける開口部５を設ける。
【０００６】シールを挟むレバー１２を設ける。
【０００７】栓抜き１１を設ける。
【０００８】それらを組み合わせたオープナーを作る。
【発明の実施の形態】
発明の実施の形態例について説明すると、図１は本体１にベルト２及びベルト用穴３、ベルト止め用突起４を持たせたものである。開口部５は缶飲料のプルタブに差し込んで蓋をあける。それぞれの取付け位置は任意の場所でも良い。
【０００９】５の開口部から端を太くしたベルト２を挿入して、一旦穴３から出し自由に動く滑り止め７を取り付け再度、穴３から挿入してある。
【００１０】ベルトは柔構造をした物なら何でもよく、紐、テープ、ロープ、スティールベルト等使用できる。端をピン打ちしてもよいが、ベルトを折り返して接着したものが面で力を受け止めるので強度面で優れている。
【００１１】ネジを回す時力が掛かっても、ベルト２の膨らみが突起４に阻まれ抜けない。
突起を斜めにしておくとベルトの端がはまり込み特に固定しなくても、切れ込み５から出ることはない。
【００１２】このようにベルトを長手方向から差し込み、長手方向に取り出せるので、本体が薄くできる。また、裏面にベルトが出ないので裏面のデザインの自由度が大きくなる。
【００１３】滑りやすい材質をベルトに使用すると、滑ってしまう事が有るが、滑り止め７を設けるとよい。この滑り止め７が自由に動くようにしておくと、フタのサイズが変わっても、移動して対応できる。
【００１４】図２は使用法を示している。ベルト２の中にネジフタ１６を入れベルトの端を引き軽く締めて、本体１の端を回したい方向に押してネジを回す。この時ベルトを引いていなくても、テコの原理で強い力でベルト２を押さえるのでベルトが緩むことはない。
【００１５】図の位置でフタを開けると、６のベルト出し穴が刻みとして働き、滑りにくくなる。また、余ったベルト２をはさみ付ける形になり、ベルトが中に引き込まれるのを防ぐ効果もある。
【００１６】図３は開口部５にプルタブ９を差し込みふたを開ける。
【００１７】図４は全体図であるが、キーリングを取り付ける穴１０が設けてある。この図の場合ベルト２の挿入口と缶オープナーが共用になっている。
【００１８】このように本体には、ベルトを通す空間とベルト取り出し穴３があるだけなのでデザインがしやすく、強度も高い。
【００１９】図５は裏面に栓抜き１１を設けた物である。ビール等の王冠を開けることができる。
【００２０】図６Ａはヨーグルトや、プリン等のシール式フタをかける部分を示す図であり、本体１とレバー１２の間にシールを挟む構造になっている。ピン１３に近い部分で挟んでやると梃子の力で、力のない人でもシールをはがすことができる。
Ｂは側面から見た図であるが、本体１に溝がありレバー１２と勘合するようにしてあり、接触面が大きいのでシールが滑りにくくなる。
【００２１】図７は凸レンズと一体にした物である。レンズを本体に収納するためスライド式、回転式にしてもよい。
【００２２】図８は本体１の裏面から、ベルト２を表面に出し滑り止め７を取り付け、再度裏面に出した物である。同じ穴からベルトが出してあるが、滑り止め７を穴より大きくしておくと、裏面に抜けることはない。
この場合。ベルトの端をピン１５やネジなどで本体１に固定しなければならない。
【００２３】図９は突起４を大きくした物である。このようにすると滑り止め７が無くてもベルトが、本体の中に隠れることが無くなる。
【００２４】図１０はサイドノック式ボールペンにオープナーを組み込んだ図である。
ベルト２にフック２５を取り付けてあり、色々な物にぶら下げることができる。
【００２５】図１１はブレスレットにした物である。手首側を湾曲して体になじみやすくしてある。１７は時計であり、コンパスや液晶画面、携帯電話の着信を知らせるバイブレーター、防犯ベルなども組み込める。
【００２６】着信用のバイブレーターは、ブレスレットやペンダントなどに設けると、直接肌に振動が伝わるので着信がわかりやすい。
【００２７】図１２はオープナーを色々アレンジした例を示す物である。
Ａはキーリングを付けキーホルダーにした物である。Ｂは松葉を付け計帯電のストラップにした物である。Ｃはカナビラを取り付けた物であり、鞄やネックストラップ等にぶら下げることができる。Ｄは本体にキーチェーンを取り付けた物である。Ｅはキャラクターを取り付けた例である。
【００２８】Ｆは裏面を自動車の形にした例である。このように裏面は、ベルトを取り付ける部分が見えないので肉盛りして立体的なデザインが可能となる。
【００２９】キーホルダーにした場合ライトや静電気除去機能、オートロック機能を組み込むことも考えられる。
【００３０】図１３はボトルキーパーとして使用する例を示した図である。２のベルトの中にボトル２６のくびれを入れベルト２に取り付けたフック２５を引く。そのままフックを何かに引っかけるとボトルに力が掛かってもベルトが締まるので落ちることがない。
【００３１】図１４はロッドホルダーとした図を示す物である。船縁にある手すり２９にベルトを巻き付け、軽く引いてロッドを置くと、その重量でベルトが締まり動かなくなる。手すりの大きさや形が変わってもベルトが巻き付けられる物で有れば対応できる。
【００３２】ライター組み合わせた実施例を示す図である。オープナー本体１は非常に薄くできるのでライター３０の外壁と兼用することもできる。
【００３３】たばこケース３１にオープナーを根付けとして取り付けた図である。このオープナーにライターを組み込んで置くといつもたばこにライターがついており、探す手間が無くなる。根付けなのでベルトなどに簡単に取り付けられる。
【００３４】
【発明の効果】以上に説明したように本発明のによれば非常にシンプルな構造でネジの開け閉めができ、缶ジュースやシール式フタ、ビールの王冠などが開けられる。またベルトを取り替えることも簡単であり、携帯電話等のストラップやライター、筆記具、笛と組み合わせても良いし、お守り、ネームプレートとしても良い。根付としてもよい。
デザインもも自由度が大きいのでアクセサリーにすることも可能である。
大型化すると工具としてもしようできる。
【図面の簡単な説明】
【図１】実施の携帯例を示す断面図である。
【図２】ネジを開ける使用例を示す図である。
【図３】缶のふたを開ける例を示す図である。
【図４】全体を示す図である。
【図５】栓抜きを設けた図である。
【図６】シールを挟む機構を示す図である。
【図７】凸レンズを組み合わせた例を示す図である。
【図８】裏面から一つ穴を通してフタ開けにした例を示す図である。
【図９】突起を高くした例を示す図である。
【図１０】サイドノック式筆記具にフタ開けの機能を持たせた例を示す図である。
【図１１】ブレスレットにした例を示す図である。
【図１２】色々な実施例を示す図である。
【図１３】ボトルホルダーの実施例を示す図である。
【図１４】ロッドホルダーの実施例を示す図である。
【図１５】ライターと一体化した例を示す図である。
【図１６】たばこケースとライターを根付け紐で結んだ図である。
【符号の説明】
１  本体  ２  ベルト  ３  ベルト取りだし穴  ４  突起  ５  缶オープナー  ６  ベルト引き出し口  ７  滑り止め  ８  缶  ９  プルタブ
１０  キーリング用穴  １１  栓抜き  １２  レバー  １３  ピン  １４  レンズ  １５  ピン１６  フタ  １７  時計  １８  リング  １９  松葉  ２０  カナビラ  ２１  キーチェーン  ２２  フィギア  ２３  筆記具  ２４  ノック
２５  フック  ２６ボトル  ２７  くびれ  ２８  竿  ２９  手すり
３０  ライター  ３１  たばこ入れ
【図１】
2004182340.tif 000003
【図２】
2004182340.tif 000004
【図３】
2004182340.tif 000005
【図４】
2004182340.tif 000006
【図５】
2004182340.tif 000007
【図６】
2004182340.tif 000008
【図７】
2004182340.tif 000009
【図８】
2004182340.tif 000010
【図９】
2004182340.tif 000011
【図１０】
2004182340.tif 000012
【図１１】
2004182340.tif 000013
【図１２】
2004182340.tif 000014
【図１３】
2004182340.tif 000015
【図１４】
2004182340.tif 000016
【図１５】
2004182340.tif 000017
【図１６】
2004182340.tif 000018